(57)【要約】      （修正有）【課題】内線電話の一般ユーザがだれでも利用でき、かつ通話に関連した文字データを付加することができる通話録音装置を提供する。【解決手段】内線電話機に具備されている複数のファンクションキーのそれぞれに対し、１つのキーワードを対応させて、通話録音中に内線電話機にて、このファンクションキーを押下すると、ファンクションキーに対応したキーワードデータを通話録音装置１０１に対し送信する。通話録音装置１０１は、該キーワードデータと録音日付、相手電話番号、自電話番号などで録音管理データを作成し、録音する音声データと関連付けして記録することを特徴とする通話記録装置１０１と内線電話機。【選択図】図２
2010219969.tif 000002
【特許請求の範囲】
【請求項１】
１以上の電話機からの音声を通話録音する通話録音装置であって、
前記電話機が送話または受話する通話音声を自動的または当該電話機からの要求に応じて記憶する音声データ蓄積手段と、
当該通話録音に係る検索情報として前記電話機からキー操作情報または検索データを受信し、前記音声データ蓄積部が蓄積した音声データと該キー操作情報または検索データ含む録音管理データとを関連付けて記憶する録音管理データ蓄積手段を有し、
前記電話機または他の電話機から前記音声データ蓄積手段に蓄積された音声データの再生または削除の要求があった場合に、当該電話機から送られてくる検索データに従って前記録音管理データ蓄積手段を検索し、ヒットした録音管理データまたは音声データを当該電話機に送信または削除することを特徴とする検索機能を有する通話録音装置。
【請求項２】
請求項１に記載の通話録音装置において、
通話録音実施中に前記電話機から録音終了開始コマンドを受信すると、
実施中の通話録音を終了処理すると同時に新たな録音管理データを作成し、新たな音声データの蓄積を開始することを特徴とする検索機能を有する通話録音装置。
【請求項３】
請求項１または２に記載の通話録音装置と連携する電話機であって、
予め定められたキー操作に対応してジャンルまたはタイトルまたはインデックスまたはキーワードを検索データとして保存するキーワード保存手段と、
前記通話録音装置との間で該検索データおよび音声データの送受信を行うデータ送受信制御手段と
前記通話録音装置から送られてくる１以上の録音管理データの内容を表示する表示手段とを有し、
前記表示手段が該録音管理データの内容を表示している間に、一または複数の録音管理データが選択された場合に、選択された録音管理データに対応する音声データの送信または削除を要求するコマンドを前記通話録音装置へ送信することを特徴とする電話機。
【発明の詳細な説明】
【技術分野】
【０００１】
電話の通話を録音し、所望の録音内容を再生する通話録音装置の技術に関するものである。
【背景技術】
【０００２】
コールセンタ等の通話録音システムでは、オペレータがパソコンからキーボード入力したオペレータ識別番号に関連付けして通話音声を録音保存し、該オペレータ識別番号を検索キーとして対象の録音通話音声を取り出す方法が開示されている（特許文献１）。
【０００３】
さらにオペレータが会話の概要を文字データとして入力し、録音通話音声と関連付けて記憶する技術も開示されている（特許文献２）。
しかしながら、特許文献１および２の技術は、コールセンタのオペレータが使用する通話録音装置であって、内線電話の一般ユーザが使用できるものではなかった。
【０００４】
これを解決する方法として、内線電話機のダイヤルキーを用いて識別コードを入力し、通話録音と関連付けする方法が開示されている（特許文献３）。  しかし、この技術では、通話録音された音声に関連した文字データを入力する方法がないので、保存にあたり録音音声の属性により詳細な分類や意味を持たせた分類を行うことができないため、迅速な検索ができないという問題がある。
【特許文献１】特許公開２００６−９４２６０
【特許文献２】特許公開２００５−１２３３９
【特許文献３】特許公開２００２−７７４１７
【発明の開示】
【発明が解決しようとする課題】
【０００５】
かかる問題に鑑み、本発明は、内線電話の一般ユーザがだれでも使用でき、かつ通話に関連した文字データを付加することのできる通話録音装置を提供することにある。
【課題を解決するための手段】
【０００６】
上記課題を解決するために、本発明は１以上の電話機の通話音声を録音する通話録音装置であって、前記電話機が送話または受話する通話音声を自動的または当該内線電話機からの要求に応じて記憶する音声データ蓄積手段と、当該通話録音に係る検索情報として前記電話機からキー操作情報または検索データを受信し、前記音声データ蓄積部が蓄積した音声データと該キー操作情報または検索データ含む録音管理データとを関連付けて記憶する録音管理データ蓄積手段を有し、前記または他の電話機から前記音声データ蓄積手段に蓄積された音声データの再生または削除の要求があった場合に、前記電話機から送られてくる検索データに従って前記録音管理データ蓄積手段を検索し、ヒットしたすべての音声管理データまたは音声データを内線電話機に送信または削除することを特徴とする。
【発明を実施するための最良の形態】
【０００７】
内線電話機に具備されている複数のファンクションキーのそれぞれに対し１つのキーワード（ジャンルまたはタイトルまたはインデックスなど）を内線電話機の決められたボタン操作により設定する機能を内線電話機に具備させる。例えば、ファンクションキー１に「Ａ社開発部」、ファンクションキー２に「Ｂ株式会社営業部」、ファンクションキー３に「（株）Ｃ通信機第５設計部」等のキーワードを設定する。
【０００８】
通話録音中に内線電話機にて、このファンクションキーを押下すると、ファンクションキーに対応したキーワードデータを内線電話機は、通話録音装置に対し送信する。通話録音装置は、該キーワードデータと録音日付、相手電話番号、自電話番号などで録音管理データを作成し、録音すべき音声データと関連付けして記録する。
【０００９】
例えば、Ａ社の相手と通話中に通話を録音開始する場合、内線電話機のファンクションキー１を押下すると通話録音装置に「Ａ社開発部」のキーワードデータが送信され、通話録音装置は、これより録音管理データを作成し、録音すべき音声データと関連付けして通話録音を開始し、これらを蓄積する。
【００１０】
このようにキーワードを含む録音管理データは、録音した音声データと関連付けして蓄積されているので、再生時にはこのキーワードを検索キーとして、録音管理データを検索、ソートすることにより、録音した膨大な音声データ中から所望の音声データの存在を内線電話機の表示器に一覧表示することができ、内線電話機のボタン操作によりその中の１つないし複数を選択し、再生を要求することで所望の音声データを迅速に取り出し再生することができる。
【００１１】
また、通話中に、ファンクションキーを複数回押すことができる。１つの通話の中で話題が変わった時に、所望のファンクションキーを押下するとその度に、キーワードワードデータが通話録音装置に送付され、そのキーワードを含む新たな録音管理データが作成され、その後の通話の音声データは該新たな録音管理データと関連付けられて別に蓄積される。
【００１２】
また、蓄積した音声データを削除する場合も同様にこのキーワードを検索キーとして、録音管理データを検索、ソートし、関連する音声データの存在を内線電話機の表示器に一覧表示させ、内線電話機のボタン操作により、１つないし複数を選択することで該当の音声データおよび録音管理データを適格に消去することができる。
【００１３】
通話録音装置は、単独電話やボタン電話の主装置やＰＢＸ、ＩＰ電話機のＳＩＰサーバと一体であっても良く、その場合、発着信、通話、終話などの呼制御も行う。
【００１４】
通話録音を行った内線電話機と録音を再生聴取する電話機は、同一でなくてもよく、録音時とは異なる他の電話機からも、同じキーワードが設定されたファンクションキーを押すことで該当する音声データの一覧表が表示されるので、その中から選択することで再生が可能である。
【００１５】
また、電話機と通話録音装置の間で認証を行い、本機能を利用できる電話機を限定してもよい。通話録音装置に収容される回線は、アナログ回線、ＩＳＤＮ回線、ＩＰ回線、無線ＬＡＮ等いずれでもよい。
【実施例】
【００１６】
以下図面を用いて、本発明の実施例を詳細に説明する。
図１は、本システムの全体構成図である。
本システムは、外線１０４を収容する通話録音装置１０１と通信録音装置１０１に収容される複数の内線電話機１０２から構成される。通信録音装置１０１は内線・外線の発着信制御を行う主装置機能を具備している。尚、本実施例では、外線１０４をアナログ回線として説明するが、ＩＳＤＮ回線、ＩＰ回線、無線ＬＡＮなどであってもよい。同様に、内線電話機１０２を接続するメディア１０３は、アナログ電話線として説明するがＬＡＮ（Ｌｏｃａｌ  Ａｒｅａ  Ｎｅｔｗｏｒｋ）ケーブルであってもよい。
【００１７】
図２は、通話録音装置１０１の機能ブロック図である。
通話録音装置１０１は、制御部２０１と、カレンダ時刻管理部２０２と、録音管理データ蓄積部２０３と、音声データ蓄積部２０４と、通話録音／再生部２０５と、データ受信部２０６と、データ送信部２０７と、発着信通話制御部２０８とから構成される。
【００１８】
図３は、内線電話機１０２の機能ブロック図である。
内線電話機１０２は、データ送受信制御部３０１と、表示部３０２と、録音管理データ読出部３０３と、音声処理部３０４と、キー入力部３０５と、スピーカ３０６と、ハンドセット３０７と、ファンクションキー３０８と、キーワード保存部３０９と、制御部３１０とから構成される。
【００１９】
外線１０４から着信を受けると、発着信通話制御部２０８にて着信を検出し、データ送信部２０７から内線電話機１０２に対し着信の通知を行う。発信においては、内線電話機１０２からの発信要求をデータ受信部２０６にて受信し、発着信通話制御部２０８にて外線１０４に発信を行う。
【００２０】
尚、本実施例では、通話録音装置１０１は主装置機能を有し内線電話機１０２の呼制御を行っているが、本願はこれに限定されない。電話装置の音声データまたはキー操作情報またはキーワードを受信できればよい。
【００２１】
通話録音装置１０１から着信の通知を受けると、内線電話機１０２で応答後、内線電話機１０２にて所望のファンクションキー３０８を押下すると通話録音を開始する。図６にファンクションキー３０８に対応するキーワードデータの保存の様子を示す。内線電話機１０２のキー入力部３０５から、キー操作する（詳細の説明は省略する）ことによって、漢字、ひらがな、カタカナ、記号等のキーワードを作成し、任意のファンクションキー３０８に対応させてキーワード保存部３０９に保存することができる。
【００２２】
内線電話機１０２は、ファンクションキー３０８の押下を制御部３１０で検出し、キーワード保存部３０９より該当するキーワードを読み出し、図７に示す制御フレームを作成して、通話録音装置１０１へ送付する。制御フレームには内線番号、コマンド、ファンクションキー番号／管理番号、キーワードが含まれる。図１１にコマンドの構成例を示す。録音開始の指示は、録音開始コマンドで行われる。また、制御部３１０は、押下されたファンクションキー３０８に録音中を表示する。表示方法は、例えば、ランプ付きファンクションキーの場合には、ランプの点灯等で行う。
【００２３】
データ受信部２０６は、内線電話機１０２から録音開始コマンドとキーワードの含まれる制御フレームを受信すると、これを制御部２０１に転送する。制御部２０１は該制御フレームを分析し、録音開始指示と解釈すると、通話音声データを音声データ蓄積部２０４への蓄積を開始し、同時にカレンダ時刻管理部２０２から現在の年月日時刻を読み出し、相手電話番号と受信したキーワード等と合わせて、録音管理データ（図５）を作成し、これを録音管理データ蓄積部２０３に保存する。この時、録音管理データと音声データは関連付けされて保存される。
【００２４】
なお、音声データ蓄積部２０４に蓄積される音声データの符号は、音声録音／再生部２０５において、標準の符号形式、例えばＧＳＭ−ＡＭＲ符号に変換され、蓄積される。再生のため読み出されたときには、同じく音声録音／再生部２０５において、標準の符号化形式より、再生先の機器の符号化形式，例えばＧ．７１１に変換される。
【００２５】
図５は、録音管理データの内容および録音管理データと音声データとの関連付けを示したものである。録音管理データとしては、管理番号、内線番号、相手電話番号、録音開始年月日時刻、録音終了年月日時刻、キーワードデータを記憶し、さらに音声データとの関連付けのために音声データ蓄積メモリの先頭アドレス、同末尾アドレスを記憶する。
内線電話機１０２からの発信の場合も同様の手順で通話録音が行われる。
【００２６】
通話録音装置１０１は予めデータ設定することにより、応答と同時に通話録音を開始させることができる。この場合はファンクションキー３０８を押下する必要はなく、したがって、キーワードデータは内線電話機１０２から送信されて来ないため、キーワードなしの録音管理データが作成される。音声データはこのキーワードデータなしの録音管理データに関連付けされて音声データ蓄積部２０４に蓄積される。その後、ファンクションキー３０８を押した時に該録音管理データにキーワードが追記され、キーワードデータとこれまで録音した音声データが関連付けされて、音声データ蓄積部２０４に保存される。
【００２７】
この機能は、通話の途中で通話録音の必要性に気がつき、その時点でファンクションキーの押下を行ったときでも、通話の最初からの通話録音を可能とし、通話の録音漏れを防止するためのものである。したがって、実際にファンクションキーが押下されることなく通話が終了した場合には、通話録音の必要性がないと考えられるので、キーワードデータが無い録音管理データおよび対応する音声データは一定期間が経過した後に自動消去または古い順に新しいデータで上書きするようにしてもよい。
【００２８】
録音を終了したいときには、内線電話機１０２の録音中を表示するファンクションキー３０８をやや長めに再度押下することでおこなわれる。すなわち、通話中にファンクションキー３０８の長めの押下を制御部３１０が検出し、録音終了要求であると解釈し、録音終了コマンドを含む制御フレーム（図７）を通話録音装置１０１へ送付する。同時に該ファンクションキー３０８の録音中表示を停止する。
【００２９】
該制御フレームを受信した通話録音装置１０１は、制御部２０１で該制御フレームを分析し、終了コマンドの指示にしたがって、終了処理として、音声データ蓄積部２０４への音声の蓄積を停止し、録音管理データに録音終了年月日時刻を記載する。
また、内線電話機１０２からの終話、通話相手からの終話によっても、同様の終了処理を行う。
【００３０】
さらに、通話録音中に録音中表示のあるファンクションキー３０８を短めに押下すると制御部３１０はこれを検出し、現在の通話録音を終了し、且つ同一キーワードでの新規の通話録音の開始要求と解釈し、録音終了開始コマンドを含む制御フレーム（図７）を通話録音装置１０１へ送付する。同時に該ファンクションキー３０８の録音中表示を継続する。
【００３１】
該制御フレームを受信した通話録音装置１０１は、制御部２０１で該制御フレームを分析する。終了開始コマンドは、現在の通話録音を終了し、且つ制御フレームに含まれるキーワードで新たな通話録音を開始することを指示するものである。そこで、現在の通話録音に対して上述の終了処理を行い、同時に、音声データ蓄積部２０４に新たな音声データ領域を確保し、該同一キーワードおよびこの時の時刻をスタートとする新たな録音管理データ（図５）を作成し、音声データの音声データ蓄積部２０４への蓄積を開始する。
【００３２】
また、通話録音中に録音中表示のあるファンクションキー３０８とは異なるファンクションキー３０８を押下すると制御部３１０はこれを検出し、現在の通話録音を終了し、異なるキーワードでの新規通話録音の開始要求と解釈し、録音終了開始コマンドを含む制御フレーム（図７）を通話録音装置１０１へ送付する。同時に旧のファンクションキーの通話中表示を停止し、新たなファンクションキーに通話中表示を行う。
【００３３】
該フレームを受信した通話録音装置１０１の動作は同一ファンクションキー３０８を再度押下した場合と新たに作成する録音管理データのキーワードが旧のキーワードと異なる点を除いて同じであるので省略する。
【００３４】
通話録音の再生を行う場合には、内線電話機１０２にて、オフフックの直後に所望のファンクションキー３０８を押下する。内線電話機１０２の制御部３１０は通話録音の再生要求と解釈し、通話録音装置１０１に再生要求コマンド（図１１）を含む制御フレーム（図７）を送付する。送信された該制御フレームをデータ受信部２０６にて受信し、制御部２０１に転送し、制御部２０１では該制御フレームに含まれるキーワードデータを基に録音管理データ蓄積部２０３の録音管理データを検索し、検索の結果、該キーワードに対応する録音管理データがあった場合、データ送信部２０７から、内線電話機１０２に対し対応するすべての通話録音管理データを送信する。
【００３５】
録音管理データを受信した内線電話機１０２は、録音管理データ読出部３０３で録音管理データの内容（図５）を読み出し、表示部３０２に一覧表示（図４）する。一覧表示の中からユーザが再生したい１ないし複数の録音管理データを選択すると、選択された録音管理データの内から時間的に最も古い録音管理データの管理番号を抽出し、該管理番号を記載した再生開始コマンドを有する制御フレームを作成し、内線電話機１０２から通話録音装置１０１へ送信する。管理番号は制御フレームのファンクションキー番号／管理番号のエリアに格納される。
【００３６】
再生開始コマンドの制御フレームを受信した通話録音装置１０１は、該制御フレームに記載された管理番号を手がかりに対応する録音管理データを検索し、該録音管理データに記載されている音声データの先頭アドレスより音声データ蓄積部２０４に蓄積された音声データを取り出し、図１２に示すデータフレームに該音声データを格納して内線電話機１０２へ送付する。
【００３７】
データフレームは、制御フレームとはコマンドによって、区別して定義される。コマンド割り付けは、図１１に一例を示す。
内線電話機１０２はデータ送受信制御部３０１で受信し、音声処理部３０４でアナログ音声に変換し、スピーカ３０６またはハンドセット３０７によって音声として出力され、ユーザは所望の通話録音を聴くことができる。
【００３８】
ひとつの通話録音が終了すると内線電話機１０２は選択されて複数の録音管理データのうち次に古い録音管理データの管理番号を抽出し、再生開始コマンドを通話録音装置１０１に送付する。このことを繰り返し、選択されたすべての録音管理データに対応する音声データの再生が行われる。
【００３９】
図８は、通話録音装置１０１が内線電話１０２より録音開始コマンドを受信した時の動作フローチャートを示す。また、本フローは通話録音装置１０１が内線電話機１０２宛の着信または内線電話機１０２からの発信を検出して外線１０４を介して通話相手と通話を確立した状態から開始される。
通話中（Ｓ６０１）に制御フレームを受信するとコマンドを解析し、録音開始コマンドであると内線電話１０２からの録音要求の操作がなされたと判定し（Ｓ６０２、ＹＥＳ）、制御フレームのキーワードデータを内線電話機１０２からキーワードデータの受信と判断し（Ｓ６０３，ＹＥＳ）、録音開始処理（Ｓ６０４、Ｓ６０５、Ｓ６０６）を行い、通話録音中（Ｓ７０１）に移行する。
【００４０】
図９は、通話録音装置１０１が内線電話１０２より録音終了コマンド等を受信した時の動作フローチャートを示す。
通話録音中（Ｓ７０１）に、内線電話１０２から録音終了コマンドを受信した場合(Ｓ７１０、ＹＥＳ)、録音終了処理（Ｓ７１１、Ｓ７１２，Ｓ７１３）を行い、通話中（Ｓ６０１）に戻る。
【００４１】
通話録音中（Ｓ７０１）に録音終了開始コマンドを受信した場合（Ｓ７２０，ＹＥＳ）、図９の内線電話からの終了処理（Ｓ７２１、Ｓ７２２，Ｓ７２３）を実行し、通話録音処理（Ｓ６０4、Ｓ６０５、Ｓ６０６）を経て、通話録音中（Ｓ７０１）に戻る。
通話録音中（Ｓ７０１）に内線電話または相手からの終話の通知を受けた場合（Ｓ７３０、ＹＥＳ）には、終話処理（Ｓ７３１，Ｓ７３２，Ｓ７３３）を行い、本フローを終了する（Ｓ８０１）。
【００４２】
図１０は、内線電話機１０２から通話録音の内容を再生するときのフローチャートを示す。
内線電話機にある図示されていない録音データ再生ボタンが操作され（Ｓ９０１、Ｙｅｓ）、しかる後に所望のファンクションキー３０８が押下された場合（Ｓ９０２、Ｙｅｓ）、該ファンクションキー３０８に対応するキーワードをキーワード保存部３０９より読み出し、録音再生コマンドとともに通話録音装置１０１に送信する。
【００４３】
通話録音装置１０１は、録音管理データ蓄積部２０３を内線電話機１０２より受信したキーワードをもとに検索し、蓄積されていた対応する録音管理データのすべてを内線電話機１０２へ送ってくるので、それをデータ送受信制御部３０１で受信し（Ｓ９０５）、録音管理データ読出部３０３で読み取り（Ｓ９０６）、一覧表として表示部３０２に表示する（Ｓ９０７）。
【００４４】
一覧表より、ユーザが再生したい録音管理データを選択する（Ｓ９０８）と該当の録音管理データの管理番号を抽出し、再生開始コマンドを含む制御フレームを作成し  通話録音装置１０１に再生開始コマンドを送付する（Ｓ９０９）。それに対応する音声データを通話録音装置１０１が送付して来るので、音声処理部３０４でアナログ音声に変換しスピーカ３０６またはハンドセット３０７に出力する（Ｓ９１０）。一の録音再生が終了すると選択された他の録音管理データより管理番号を抽出し、同じような処理を繰り返し、選択されたすべての録音管理データについて処理が終了するまで行う。
【図面の簡単な説明】
【００４５】
【図１】本発明の全体のシステム構成
【図２】本発明の通話録音装置の機能ブロック図
【図３】本発明の内線電話機の機能ブロック図
【図４】内線電話機による録音管理データの表示例
【図５】録音管理データの内容および音声データとの関連付け
【図６】キーワード保存部の保存例
【図７】制御フレームの構成例
【図８】通話録音装置の録音開始コマンド受信時の動作フローチャート
【図９】通話録音装置の録音終了コマンド等受信時の動作フローチャート
【図１０】内線電話機の通話録音の再生時の動作フローチャート
【図１１】制御フレーム内のコマンド一覧例
【図１２】データフレームの構成例
【符号の説明】
【００４６】
１０１      通話録音装置
１０２      内線電話機
１０３      メディア
１０４      外線
２０１      制御部
２０２      カレンダ時刻管理部
２０３      録音管理データ蓄積部
２０４      音声データ蓄積部
２０５      通話録音／再生部
２０６      データ受信部
２０７      データ送信部
２０８      発着信通話制御部
３０１      データ送受信制御部
３０２      表示部
３０３      録音管理データ読出部
３０４      音声処理部
３０５      キー入力部
３０６      スピーカ
３０７      ハンドセット
３０８      ファンクションキー
３０９      キーワード保存部
３１０      制御部
【図１】
2010219969.tif 000003
【図２】
2010219969.tif 000004
【図３】
2010219969.tif 000005
【図４】
2010219969.tif 000006
【図５】
2010219969.tif 000007
【図６】
2010219969.tif 000008
【図７】
2010219969.tif 000009
【図８】
2010219969.tif 000010
【図９】
2010219969.tif 000011
【図１０】
2010219969.tif 000012
【図１１】
2010219969.tif 000013
【図１２】
2010219969.tif 000014